(57)【特許請求の範囲】
【請求項１】
合成繊維フィラメント糸よりなる二重構造の編目状袋体であって，外側袋は１〜５ｍｍの細目の編地からなり，内側袋は外側袋より小さく，かつ５〜２０ｍｍの粗目の編地からなり，外側袋と内側袋の開口部が一体に結合されて，その結合部付近に弾性糸が組み込まれている構造を特徴とする排水口用水切りゴミ袋。
【請求項２】
合成繊維フィラメント糸よりなる二重構造の編目状袋体であって，外側袋は１〜５ｍｍの細目の編地からなり，内側袋は外側袋より小さく，かつ内側袋の開口部から内側袋の全長の３分の１を越えない範囲の任意の位置までの編地が外側袋と同じ１〜５ｍｍの細目の編地からなり，底部を含む残り部分の編地が５〜２０ｍｍの粗目の編地からなり，外側袋と内側袋の開口部が一体に結合されて，その結合部付近に弾性糸が組み込まれている構造を特徴とする排水口用水切りゴミ袋。
【発明の詳細な説明】
【０００１】
【発明の属する技術分野】
本発明は，飲食店や大形厨房の炊事用排水の排水口に設けられたごみ受け籠にセットして使用される水切りゴミ袋に関するものである。
【０００２】
【従来の技術】
従来より，飲食店や大形厨房では，排水口に設けられたゴミ受け籠に，図５に示すごとき編目状袋体２１の開口部周縁に弾性糸２２を組み込んだ構造の水切りゴミ袋を用いて，図６に示すごとく開口部周縁の弾性糸２２を拡げてゴミ受け籠２３の外枠２４に固定して用いられている。
このような水切りゴミ袋を用いる場合には，ゴミは水切りゴミ袋の内部に溜まるので，ゴミ処理時には，水切りゴミ袋を取り除くだけでゴミ処理を済ませることができ，合理的で非常に便利である。
【０００３】
【発明が解決しようとする課題】
しかしながら，このような従来の水切りゴミ袋は，編目の目が細かいために，排水中に混在する油分が大きなゴミと結合して，ゴミ袋の編目を封鎖する目詰まり現象を生じ，排水の流れを阻害してしまう欠点があった。
このような目詰まり現象を回避するためには，水切りゴミ袋の編目を大きくすればよいが，編目を大きくすると捕獲しなければならないゴミを排水とともに流してしまい，排水口に流れ込む浮遊物が増え，環境汚染へつながると同時に，排水管が詰まって排水が流れなくなるトラブルを生じがちである。  本発明はこのような現状に鑑みて行われたもので，水切りゴミ袋の編目が目詰まりしにくく，しかも，排水管が詰まって排水が流れなくなることのない，排水口用の水切りゴミ袋を得ることを目的とするものである。
【０００４】
【課題を解決するための手段】
本発明は，上記目的を達成するもので，次の構成よりなるものである。すなわち本発明は「合成繊維フィラメント糸よりなる二重構造の編目状袋体であって，外側袋は１〜５ｍｍの細目の編地からなり，内側袋は外側袋より小さく，かつ５〜２０ｍｍの粗目の編地からなり，外側袋と内側袋の開口部が一体に結合されて，その結合部付近に弾性糸が組み込まれている構造を特徴とする排水口用水切りゴミ袋」並びに「合成繊維フィラメント糸よりなる二重構造の編目状袋体であって，外側袋は１〜５ｍｍの細目の編地からなり，内側袋は外側袋より小さく，かつ内側袋の開口部から内側袋の全長の３分の１を越えない範囲の任意の位置までの編地が外側袋と同じ１〜５ｍｍの細目の編地からなり，底部を含む残り部分の編地が５〜２０ｍｍの粗目の編地からなり，外側袋と内側袋の開口部が一体に結合されて，その結合部付近に弾性糸が組み込まれている構造を特徴とする排水口用水切りゴミ袋」を要旨とするものである。
【０００５】
【発明の実施の形態】
以下，本発明の水切りゴミ袋の一例を，図面を用いて詳細に説明する。
本発明の水切りゴミ袋は，図１に斜視図で示すごとく，合成繊維フィラメント糸よりなる二重構造の編目状袋体１の形状を有している。
この二重構造の編目状袋体１の外側袋２は，１〜５ｍｍの細目の編地からなり，内側袋３は外側袋２より小さく，かつ５〜２０ｍｍの粗目の編地からなっている。そして，水切りゴミ袋の外側袋２と内側袋３は，開口部４の位置で一体に結合され，その結合部周縁に弾性糸５が組み込まれている。
【０００６】
ここで，編目状の袋体１を構成する外側袋２および内側袋３は，ポリエステルフイラメント，ナイロンフイラメント，ポリプロピレンフイラメント，ビニロンフイラメント等の合成繊維を用いて編成した編地よりなるものである。用いるフイラメントの繊度は，３０〜７５デニールの範囲で必要に応じた繊度のものを用いればよいが，必ずしも，この範囲に限定される必要はない。袋体の編目は，外側袋が１〜５ｍｍの細目の編目からなり，内側袋は５〜２０ｍｍの粗目の編目からなっている。
【０００７】
編目状の袋体１を構成する外側袋２および内側袋３は，通常，いずれも丸編機を用いて筒編みを行い，所定の長さに裁断した後，それぞれ底部を縫糸で縫製して封じ，外側袋２および内側袋３の開口部４を縫糸で縫製して一体に形成する。
【０００８】
この開口部４には，弾性糸５が組み込まれているが，ここで用いられる弾性糸としては，ゴム糸やスパンデックス糸，ポリエステル弾性糸，あるいは，ポリエステル繊維やナイロン繊維のストレッチ仮撚加工糸等，伸縮性の良好な糸条であれば，いかなるものでも用いることができる。
【０００９】
弾性糸５を開口部４に組み込むためには，二重構造の袋体の形成後に，手作業で弾性糸を編目に通したり，あるいは，編地に縫い付けたりしてもよいが，編地の編成時に，弾性糸を同時に編み込む方法を採用する方が合理的である。
【００１０】
上述のごとき構造の本発明の水切りゴミ袋を実際に使用する場合には，図２に断面図で示すごとく，まず，弾性糸５が組み込まれている袋体の開口部４を両手で拡げて，ゴミ受け籠２３の外枠２４に固定する。
このように固定して排水を行うと，大きなゴミ１３は粗目の内側袋３にとどまり，小さなゴミ１４は粗目の内側袋３を通過して，外側袋２に分かれて溜まるので，大きなゴミが排水中の油分と合体して生じる編目の目詰まりを未然に回避することができ，円滑な排水の流れを長期にわたって維持することができるようになる。
【００１１】
本発明の排水口用水切りゴミ袋にあっては，図３に斜視図で示すごとく，二重構造の編目状袋体６の内側袋７について，その開口部８から内側袋の全長の３分の１を越えない範囲の任意の位置までの編地９を外側袋１１と同じ１〜５ｍｍの細目の編地で構成し，底部を含む残り部分の編地１０を５〜２０ｍｍの粗目の編地で構成し，その結合部１２に弾性糸を組み込んだ構造に構成してもよい。
【００１２】
このように構成した本発明の水切りゴミ袋を使用する場合には，図４に使用態様を断面図で示すごとく，弾性糸を組み込んだ結合部１２によって，外側袋１１と同じ１〜５ｍｍの細目の編地で構成された内側袋の上部編地９の部分が，細かいゴミ１５の遮蔽壁として作用するので，排水管が詰まって排水が滞留したり，逆流する場合にも，細かいゴミ１５が外部へ流出することを極力抑えることができる。
本発明は，以上の構成よりなるものである。
【００１３】
【作用】
本発明の排水口用水切りゴミ袋のごとく，その袋体を合成繊維フィラメント糸よりなる二重構造の編目状袋体で構成し，外側袋に１〜５ｍｍの細目の編地を用いるとともに，内側袋を外側袋より小さく，かつ，５〜２０ｍｍの粗目の編地で構成し，外側袋と内側袋の開口部を一体に結合して，その結合部に弾性糸を組み込んでおくと，水切りゴミ袋の使用時に，大きなゴミは粗目の内側袋にとどまり，小さなゴミは粗目の内側袋を通過して，外側袋に分かれて溜まるので，大きなゴミが排水中の油分と合体して生じる編目の目詰まりを未然に回避することができ，円滑な排水の流れを長期にわたって維持することができるようになる。
【００１４】
【発明の効果】
本発明の排水口用水切りゴミ袋によれば，大きなゴミが排水中の油分と合体して生じる編目の目詰まりを未然に回避することができ，円滑な排水の流れを長期にわたって維持することができる。
【図面の簡単な説明】
【図１】本発明の排水口用水切りゴミ袋の一例を示す斜視図である。
【図２】図１に示す本発明の排水口用水切りゴミ袋をゴミ受け籠に取付けて使用している状態を示す要部の断面見取図である。
【図３】本発明の排水口用水切りゴミ袋の他の一例を示す斜視図である。
【図４】図３に示す本発明の排水口用水切りゴミ袋をゴミ受け籠に取付けて使用している状態を示す要部の断面見取図である。
【図５】従来の排水口用水切りゴミ袋の斜視図である。
【図６】図５に示す従来の排水口用水切りゴミ袋をゴミ受け籠に取付けた状態を示す斜視図である。
【符号の説明】
１  編目状袋体
２  外側袋
３  内側袋
４  開口部
５  弾性糸
６  編目状袋体
７  内側袋
８  開口部
９  内側袋の上部編地
１０  内側袋の底部を含む残り部分の編地
１１  外側袋
１２  結合部
１３  大きなゴミ
１４  小さなゴミ
１５  小さなゴミ
２１  編目状袋体
２２  弾性糸
２３  ゴミ受け籠
２４  外枠
【図１】
0003624224.tif 000002
【図２】
0003624224.tif 000003
【図３】
0003624224.tif 000004
【図４】
0003624224.tif 000005
【図５】
0003624224.tif 000006
【図６】
0003624224.tif 000007